(57)【特許請求の範囲】
【請求項１】
カードが保有する有価データの範囲内で所要数の遊技球を貸し出すための制御を行う球貸制御手段を備えたカードユニットと電気的に一対一に接続される遊技機であって、
当該遊技機の遊技盤に設けられた入賞口への遊技球の入賞に基づく入賞信号の入力処理、および該遊技盤に設けられた所要の役物装置の制御等を行う遊技制御装置と、
前記遊技制御装置、および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、
を備え、
当該遊技機の前面側の前面パネルに設けられた供給皿には、前記有価データから貸球への変換指令を与える変換ボタンと、前記カードユニットからカードを排出させる指令を与える返却ボタンと、前記有価データの残高を表示する残高表示器と、球貸しが可能であることを表示する球貸可能表示器と、が前記カードユニットの球貸制御手段に電気的に接続された状態で配設され、
前記排出制御手段は、前記球貸制御手段と当該排出制御手段との間の電気的接続状態を監視する接続監視手段を備え、該接続監視手段により電気的非接続状態が検知された場合に、当該遊技機の打球発射装置に対してその作動を不能にすることが可能に構成されていることを特徴とする遊技機。
【発明の詳細な説明】
【０００１】
【発明の属する技術分野】
本発明は、カードが保有する有価データの範囲内で所要数の遊技球を貸し出すための制御を行う球貸制御手段を備えたカードユニットと電気的に一対一に接続され、賞球と貸球との排出が可能な遊技機に関する。
【０００２】
【従来の技術】
近年、有価価値が記憶されたカードから所要数の貸球を変換して遊技を行うようにしたカード式のパチンコ遊技システムが提唱されている。
このカード式のパチンコ遊技システムは、例えば１台の遊技機（パチンコ遊技機）と１台のカードユニットとしての球貸機とが対となって遊技店の島設備に配設されるようになっている。
このようなカード方式においては、遊技客は予め記憶媒体であるカードを購入すれば、遊技球を借りるために多くの硬貨を両替したり持ち球が無くなる毎にその硬貨を球貸機に投入したりする必要がなく、また、遊技中に硬貨が無くなって両替のために席を立つ頻度を少なくすることができるという利点がある。
ところで、従来のカード式のパチンコ遊技システムでは、カードユニットにカードを投入して所定の球貸操作を行うと、カードユニット側から貸球が排出され、その排出された貸球を遊技機側に移して遊技を行うように構成されていた。即ち、パチンコ遊技機とカードユニットとしての球貸機とが相互に関係なく機能していて、例えば、カードユニットの電源がオフとなっていても遊技機では遊技を行うことが可能となっている。
【０００３】
【発明が解決しようとする課題】
しかし、従来のカード式のパチンコ遊技システムでは、球貸操作を行う操作部やカードの残高表示部がカードユニット側に備えられていたため、球貸の操作性や残高表示の視認性が悪いといった問題点があった。更に、カードユニット側から貸球が排出されていたため貸球を遊技機側に移すといった煩わしい作業を遊技者に強いるといった問題点もあった。
そこで、近時ではカードユニットと遊技機とを相互に電気的に接続してカードに記憶された有価価値から変換された貸球を、遊技機に備えられている球排出装置を作動させて遊技機側から直接排出するようにして貸球を移す作業を無くすことができるカード式のパチンコ遊技システムも考えられている。しかし、このような遊技機とカードユニットとが相互に電気的に接続されて対となって稼動することを前提としたカード式遊技システムにおいては、遊技機とカードユニット間が電気的に非接続状態となって球貸の機能が不能でも遊技機における遊技が可能であっては、遊技者に対して戸惑いや不信感を与えかねない。また、システムに対して不正行為がなされても、遊技機での遊技を行うことが可能となってしまう場合もあり、システムに対する信頼性が低下してしまう。
【０００４】
この発明は上記のような背景の下になされたもので、その目的とするところは、球貸の機能に関する遊技者の利便性を向上させ得るとともに、遊技機とカードユニットとの間の電気的な接続が非接続状態であった場合には、遊技機での遊技を不能にすることにより、システムに対する信頼性を向上させ得る遊技機を提供することを目的とする。
【０００５】
【課題を解決するための手段】
上記課題を解決するため、本発明は、カードが保有する有価データの範囲内で所要数の遊技球を貸し出すための制御を行う球貸制御手段（球貸し制御装置５００）を備えたカードユニット（球貸機２００）と電気的に一対一に接続される遊技機（パチンコ遊技機１００）であって、
当該遊技機の遊技盤に設けられた入賞口への遊技球の入賞に基づく入賞信号の入力処理、および該遊技盤に設けられた所要の役物装置の制御等を行う遊技制御装置（遊技盤制御装置４００）と、
前記遊技制御装置、および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段（排出制御装置６００）と、
を備え、
当該遊技機の前面側の前面パネル（１０１）に設けられた供給皿（１２０）には、前記有価データから貸球への変換指令を与える変換ボタン（１２３）と、前記カードユニットからカードを排出させる指令を与える返却ボタン（１２４）と、前記有価データの残高を表示する残高表示器（１２２）と、球貸しが可能であることを表示する球貸可能表示器（球貸し可能表示ランプ１２６）と、が前記カードユニットの球貸制御手段に電気的に接続された状態で配設され、
前記排出制御手段は、前記球貸制御手段と当該排出制御手段との間の電気的接続状態を監視する接続監視手段（６０１、リレー６００Ａ）を備え、該接続監視手段により電気的非接続状態が検知された場合に、当該遊技機の打球発射装置（６００Ｃ）に対してその作動を不能にすることが可能に構成されていることを特徴とする。
【０００６】
本発明では、遊技制御装置により、遊技機の遊技盤に設けられた入賞口への遊技球の入賞に基づく入賞信号の入力処理、および該遊技盤に設けられた所要の役物装置の制御等が行われる。また、遊技機の前面側の前面パネルに設けられた供給皿には、変換ボタン、返却ボタン、残高表示器及び球貸可能表示器がカードユニットの球貸制御手段に電気的に接続された状態で配設され、変換ボタンにより有価データから貸球への変換指令が与えられ、返却ボタンによりカードユニットからカードを排出させる指令が与えられ、残高表示器により有価データの残高が表示され、貸球可能表示器により球貸しが可能であることが表示される。
そして、遊技制御装置、およびカードが保有する有価データの範囲内で所要数の遊技球を貸し出すための制御を行うカードユニットの球貸制御手段の各々と電気的に接続された排出制御手段により、該遊技制御装置或いは該球貸制御手段からの排出指令信号に基づいて、所定数の賞球或いは貸球を排出させる制御が行われる。また、その排出制御手段に備えられた接続監視手段により前記球貸制御手段と当該排出制御手段との間の電機的接続状態が監視され、該接続監視手段により電気的非接続状態が検知された場合に、当該遊技機の打球発射装置に対してその作動が不能にされることで、遊技が不能となる。
【０００７】
【発明の実施の形態】
図１には、本発明に係る遊技機の一実施の形態が示されている。
この実施の形態では、遊技機としてのパチンコ遊技機１００とカードユニットとしての玉貸機２００とが対をなすように配設されており、各玉貸機２００にはカードリーダが内蔵され、玉貸機２００の前面パネル２１０には上記カードリーダに対応してカード挿排口２１１と、挿入されたカードの残高を表示する挿入残高表示器２２０、玉貸機２００が作動状態にあることを表示する有効表示ランプ２３０が設けられている。
【０００８】
一方、パチンコ遊技機１００の前面パネル１０１に設けられている供給皿１２０の上面には、操作パネル１２１が形成され、この操作パネル１２１上に上記カード挿排口２１１に挿入されたカードの残高を表示する残高表示器１２２と、貸し玉への変換の指令を与える変換ボタン１２３と、カードの排出（返却）を指令する返却ボタン１２４と、上記変換ボタン１２３が有効中であることを表示する玉貸し可能表示ランプ（球貸可能表示器）１２６が設けられている。
【０００９】
なお、１１２は賞品玉排出時に点灯される賞品球排出表示ランプ、また１１３は貸し玉排出時に点灯される貸し玉排出表示ランプ、１０８はパチンコ遊技機において打止状態が発生したときに点灯される完了ランプ、１４１は上記供給皿１２０が満杯になったときに内部でオーバーフローした賞品球を貯留する受け皿、１４２は供給皿１２０から流下される球を一個ずつ遊技領域内に発射する打球発射装置６００Ｃ（図示せず）の操作ダイヤルである。
パチンコ遊技盤前面の遊技領域の構成は従来のものと同様で、任意の構成をとり得る。
【００１０】
この実施の形態では、変換ボタン１２３が押されると、上記玉貸機２００のカードリーダへのカードの挿入を前提としてカードの有する金額の範囲内で、予め設定された金額（例えば３００円分）を貸し玉に変換する指令がパチンコ遊技機１００の裏面に設けられている球排出装置６００（後述）の制御装置に対して送出するように構成されている。変換後のカードの残り金額は、１００円を１単位とする度数で残高表示器１２２に表示されるようになっている。
【００１１】
図２には本発明を適用したパチンコ遊技機１００の裏機構の一実施の形態が示されている。
図２において、１７０は賞球を排出する球排出装置、６００は入賞検出器等からの信号に基づいて上記球排出装置１７０を制御して所定数の賞球を排出させる排出制御装置、１５１は排出される前の球を貯留しておく貯留タンク、１５２は貯留タンク１５１内の球を一列に整列させて上記球排出装置１７０まで誘導する誘導路である。
この誘導路１５２は特に限定されないが、短時間に多量の玉を供給できるように２条に形成されており、その途中には球の重なりを防止する玉ならし１５３および待機球検出器１６０が設けられている。
【００１２】
また、球排出装置１７０の下方には、排出された玉を遊技機前面の上記供給皿１２０の流出口１２９へ誘導する排出樋１５５と供給皿１２０からオーバフローした玉を下方の受け皿１４１へ誘導するオーバーフロー樋１５６が連続して設けられているとともに、上記排出樋１５５の途中から分岐された玉抜き樋１５７が上記オーバーフロー樋１５６と平行して配設され、この玉抜き樋１５７と排出樋１５５との分岐部には流路切換え弁１５８が設けられている。
１５９は遊技機の前面に設けられた入賞口に流入した入賞球を一箇所に集合させる集合樋、１８０は集合樋１５９の下端に設けられ集合された入賞球を１個ずつ分離して検出器で検出する入賞球分離検出装置、４００は遊技盤に設けられた入賞検出器からの信号に基づいて役物や表示ランプを駆動する遊技制御装置としての遊技盤制御装置である。
【００１３】
上記遊技盤制御装置４００と排出制御装置６００とは、３本の信号線からなるコードによって接続される。特に限定されるものでないがこの実施の形態では、遊技盤制御装置４００と排出制御装置６００から引き出されたコード１９１，１９２の一端が中継基板１９５に接続されており、中継基板１９５を介して遊技盤制御装置４００と排出制御装置６００とが通信可能に結合されている。
なお、この実施の形態では入賞球分離検出装置１８０として集合樋１５９で集合された入賞球の流下経路に臨むストッパ１８２とそれを駆動するソレノイド（以下、セーフソレノイドと称する）１８３とからなり検出器（セーフセンサと称する）１８１で入賞球を１つ検出する毎にストッパ１８２をソレノイド１８３で駆動して入賞球を１つ流下させるように構成した電気式のものを用いているが、先端にストッパを、また後端に錘を有するシーソー式の球鞘とマイクロスイッチとから構成されたメカ式のものを用い、入賞球数は排出制御装置６００内に電気的に記憶させるようにしても良い。
【００１４】
図３には上記球排出装置１７０の一実施の形態を示す。
この球排出装置１７０は、貯留タンク１５１に貯留された予備球を誘導する上記誘導樋１５２に連続するように構成された案内樋７１０を備えている。この案内樋７１０は上記誘導樋１５２に対応して２条に形成されており、各条の通路に対応して流下阻止手段としてのストッパ７４５とその駆動用排出ソレノイド７４１とからなる排出手段７４０も２組設けられている。
上記案内樋７１０は、その機能から３つの部分からなり、上から順にそれぞれ減圧部７１１、縁切り部７１２、排出部７１３とされている。
【００１５】
上記減圧部７１１は、貯留タンク１５１から誘導樋１５２を介して送られてくる予備球の圧力を減らすもので、同図に示すように、緩傾斜状態にＵターンされた構造にされている。上記縁切り部７１２は、その下の排出部７１３を通る球同士に間隔を開けさせて、下方の排出手段７４０による球の流出を止め易くするためのもので、前記減圧部７１１に連続する垂直通路部分７２１と後述の排出部７１３に通じる方向変換通路部分７２２とから構成されている。
【００１６】
そして、垂直通路部分７２１の下端部には、球詰まり防止突部７２３が前方に突出して設けられている。この球詰まり防止突部７２３によって、垂直通路部分７２１に縦に並んで停止した球のうちの最も下の球の中心位置がその上方の球の中心位置より常に前方に位置せしめられるようになる。それによって、上方の球の流下移動圧が最も下の球を常に前方に押圧するように作用し、球詰まりが防止される。
各案内樋７１０の排出部７１３の途中には、流下する球を検出する非接触型の排出球検出センサ７３０（排出センサ１，２）がそれぞれ設置されている。
【００１７】
また、各排出部７１３の途中、上記排出センサ７３０直後には上記排出手段７４０を構成するストッパ７４５が出没可能な切欠き７０３が設けられている。
上記ストッパ７４５は、それぞれ支軸７４６によって回動自在に支持されているとともに、ストッパ７４５の一側部には、それぞれ連結ピンが突設され、これら連結ピンと排出ソレノイド７４１の作動ロッド７４２の下端部とが連結板７４７によりそれぞれ連結されている。
【００１８】
そして、排出ソレノイド７４１が消磁（オフ）状態にあるときには、作動ロッド７４２が下降してストッパ７４５の先端部が切欠き部７０３より案内樋７１０の排出部７１３中にそれぞれ入り込んで、排出部７１３中の遊技球の流下を阻止するようになっている。
一方、排出ソレノイド７４１が励磁（オン）されると、作動ロッド７４２が上昇してストッパ７４５が上昇する方向に回動されて排出部７１３の切欠き７０３中から脱して、排出部７１３中の球の流下阻止状態を解除させ、案内樋７１０内の予備球を下方の排出樋１５５へ排出させるようになっている。
【００１９】
このように上記実施の形態の球排出装置１７０は、排出センサ７３０で流下する玉を一個ずつ検出しながら所定数に達した時点でストッパ７４５を作動させて排出を停止させることができるため、上述したごとく排出球数の異なる賞品球と貸し玉とを同一の球排出装置によって排出させることが可能となる。
なお、図３において、７５０はパチンコ遊技機１００の前面枠に設けられた操作孔（図示省略）から球抜き棒が差し込まれたことを検出する球抜きセンサ７５０である。球抜きセンサ７５０がオンされると、上記排出ソレノイド７４１が連続して励磁されて案内樋７１０内の予備球を排出させるとともに、排出樋１５５内の流路切換え弁１５８の駆動手段（ソレノイド）を作動させ、排出された玉を球抜き樋１５７を通して機外へ排出させるようになっている。
【００２０】
上記球抜きセンサ７５０および排出ソレノイド７４１、排出センサ７３０は排出制御装置６００に電気的に接続されている。
図４には、パチンコ遊技機１００の制御系の一実施の形態が示されている。
この制御系は大きく分けると、主としてパチンコ遊技機１００の遊技盤に関する制御を司る遊技盤制御装置４００と、カードリーダ等の制御を司る玉貸し制御装置（球貸制御手段）５００と、上記球排出装置１７０の制御を司る排出制御装置（排出制御手段）６００とにより構成されている。
【００２１】
上記制御装置のうち遊技盤制御装置４００は、パチンコ遊技機の遊技盤１０２に設けられている各種入賞球検出器から検出信号を受けて役物の駆動信号を形成したり、スピーカ１９０に対する駆動信号を形成したりする。
また、遊技盤制御装置４００は、遊技状態を監視してパチンコ店の管理装置に対してパチンコ機が稼働中であることや大当りの発生、打止めの発生等の状態に関する情報を伝える機能を備えている。
【００２２】
排出制御装置６００は、上記玉貸し制御装置５００または遊技盤制御装置４００からの排出指令信号に基づいて、パチンコ遊技機の裏機構盤に設けられている入賞球分離検出装置１８０内の検出器（セーフセンサ）１８１からの信号を受けて入賞球分離用のセーフソレノイド１８３を作動させるとともに、上記球排出装置１７０内の２条の案内樋７１０の途中に設けられた一対のストッパ７４５を作動させる排出ソレノイド７４１ａ，７４１ｂを励磁し、排出センサ７３０ａ，７３０ｂの検出信号に基づいて各案内樋７１０内の予備球を所定数だけ排出させるとともに、球抜きスイッチ７５０からのオン信号に基づいて排出ソレノイド７４１ａ，７４１ｂを励磁し、かつ流路切換え弁１５８の駆動源を作動させて貯留タンク１５１および誘導樋１５２内の予備球をすべて排出させたりする。
【００２３】
また、排出制御装置６００は、誘導樋１５２の途中に設けられた待機球検出器１６０からの検出信号が入ってくると排出ソレノイド７４１ａ，７４１ｂの励磁を保留して球排出装置１７０による排出を中止するとともに、排出時には排出指令信号の内容に応じて例えば賞品球排出表示ランプ１１２または貸し玉排出表示ランプ１１３を点灯させたり、遊技盤制御装置４００に対して賞球もしくは貸し玉の排出音要求信号を送出する。
【００２４】
玉貸し制御装置５００は前記玉貸機２００内に設けられており、該玉貸機２００内のカードリーダからの読取りデータを受けて挿入残高表示器２２０に対する駆動信号や残高表示器１２２に対する表示駆動信号およびカードリーダが作動状態にあることを表示する有効表示ランプ２３０やパチンコ遊技機に設けられている玉貸し可能表示ランプ１２６に対する駆動信号を形成したり、カードリーダ制御装置２５０に対する残高データ書換え信号ｑ、パンチ穴加工信号ｍ、カード排出信号ｎを形成する。
また、玉貸し制御装置５００は、玉貸し変換スイッチ（１２３）とカード返却スイッチ（１２４）のオン信号を受け付けるとともに、排出制御装置６００に対して玉貸し要求信号やカード有無信号を送ったり、カード管理会社の管理装置８００に対して１度（１００円）分の貸し玉への変換が行なわれたことを知らせるカード決済信号ｊを送信する機能も備えている。
【００２５】
さらに遊技媒体貸出装置としての玉貸機２００に含まれている前記玉貸し制御装置５００と前記パチンコ遊技機１００とは相互の電気的な接続を監視する接続監視手段６０１を介して接続されている。この接続監視手段６０１は、玉貸し御装置５００とパチンコ遊技機１００との接続状態を監視し、接続状態にあるときには接続検知信号を生成する。その監視に基づいてパチンコ遊技機１００の遊技が制御されるようになっている。
したがって玉貸機２００とパチンコ遊技機１００とが電気的に一対のものとして構成されるようになってり、前記玉貸機２００の機能が停止した場合にはパチンコ遊技機１００でも遊技を続行することができないようになっている。
【００２６】
本発明の目的である遊技機と玉貸機とを一対のものとして構成するための接続監視手段６０１の具体的な構成例を図５と図６とに基づいて説明する。
図５では、前記玉貸し制御手段５００からの接続信号として直流電流が、前記排出制御装置６００に設けられた接続監視手段を構成するリレー（継電器）６００Ａに送られる実施例が示されている。
該リレー（継電器）６００Ａは打球発射装置６００Ｃに電源を供給する電源部６００ａとで回路（発射回路）を形成している。
即ち、前記リレー６００Ａの固定鉄心部のコイルには電源変換回路を介して所定値の直流電流が供給されていて、接点がオンするように構成されており、その結果電源部６００ａへＡＣ２４Ｖの電圧が印加されるようになっている。
したがって打球発射装置６００Ｃが作動できるようになっていて遊技者が遊技を行うことができるようになっている。
しかし前記玉貸し制御手段５００から直流電流が供給されなくなった場合には、接点がオフとなって、電源部６００ａへのＡＣ２４Ｖの電圧の供給が遮断されることになる。
したがって打球発射装置６００Ｃが作動できなくなり、パチンコ遊技機１００で遊技を続行することができなくなる。
【００２７】
図６では、前記玉貸し制御手段５００が前記直流電流を形成し、前記排出制御装置６００に設けられて、前記接続監視手段６０１を構成するフォトカプラ６００Ｄに出力する実施例が示されている。
そして前記玉貸し制御手段５００から接続信号が出力されていて、該玉貸し制御手段５００と前記フォトカプラ６００Ｄとが電気的に接続されていれば信号Ａ（接続検知信号）としてＨ（ハイレベル）信号が形成され、該Ｈ信号に基づき前記排出制御装置６００が作動可能に制御されている。
一方、前記接続信号が出力されず前記玉貸し制御手段５００と前記フォトカプラ６００Ｄとの電気的な接続が遮断された場合、例えば玉貸機２００への電力の供給が停止された場合にはＬ（ロウレベル）信号が形成され、該Ｌ信号に基づき前記排出制御装置６００が作動不能に制御されるようになっている。
この場合、前記遊技盤制御装置４００としての役物回路に出力される各種入賞球検出器からの検出信号等の賞球データは前記排出制御装置６００に記憶されるが、排出動作を中断するようにしてもよい。
また前記Ｌ信号に基づき前記排出制御装置６００が現状態を示す信号を生成し、役物回路に出力することによって役物回路と排出制御装置６００との間の通信を中断するように制御してもよい。
【００２８】
前記実施の形態では接続監視手段６０１を構成するものとしてリレー６００Ａとフォトカプラ６００Ｄを用いているが、玉貸し制御装置と排出制御装置との接続を電気的に監視することができるものであればいずれの技術的手段でもよい。また接続監視手段はいずれの場所に設けてもよく、例えば遊技店の管理室に設けるようにしてもよい。
【００２９】
【発明の効果】
本発明によれば、遊技機の前面側の前面パネルに設けられた供給皿に、変換ボタン、返却ボタン、残高表示器、及び球貸可能表示器、即ち、遊技球の貸出しに関わるボタンや表示器が備えられているので、球貸に関わる操作性や各種表示の視認性を向上させることができる。また、遊技機における排出制御手段により、賞球の排出制御だけではなく、カードユニットの球貸制御手段からの排出指令信号に基づく貸球の排出制御を行うようにしたので、遊技機が貸球を排出するための機能を持つこととなって、遊技機側で貸球を排出することが可能となり、遊技者に対して排出された貸球を移すといった煩わしい作業を強いことを無くし、貸球に関する利便性を向上させることができる。
また、排出制御手段に備えられた接続監視手段により球貸制御手段と排出制御手段との間の電気的接続状態が監視され、該接続監視手段により電気的非接続状態が検知された場合に、当該遊技機の打球発射装置に対してその作動が不能にされることで遊技が不能となるので、遊技機での遊技が可能であるにもかかわらず貸球の排出が不能であるような不都合な状況が発生することをなくすことができる。特に、排出制御手段に接続監視手段が備えられているので、効率よく確実に電気的接続状態の監視が行える。また、これらのカード式遊技機のシステムに何らかの不正行為がなされて、遊技機とカードユニット（排出制御手段と球貸制御手段）間が電気的非接続状態となった場合には、遊技を行うことができなくなるので、システム自体の信頼性を向上させることができる。
【図面の簡単な説明】
【図１】本発明に係る遊技機の一実施の形態を示す斜視図である。
【図２】本発明に係る遊技機の裏機構を示す正面図である。
【図３】本発明に係る遊技機の球排出装置１７０を示す要部断面図である。
【図４】本発明に係る遊技機の制御系の一実施の形態を示すブロック図である。
【図５】本発明に係る遊技機の接続監視手段の一実施の形態を示すブロック図である。
【図６】本発明に係る遊技機の接続監視手段の一実施の形態を示すブロック図である。
【符号の説明】
１００    パチンコ遊技機（遊技機）
１０１    前面パネル
１２０    供給皿
１２２    残高表示器
１２３    変換ボタン
１２４    返却ボタン
１２６    球貸し可能表示ランプ（球貸可能表示器）
２００    球貸機（カードユニット）
４００    遊技盤制御装置（遊技制御装置）
５００    玉（球）貸し制御装置（球貸制御手段）
６００    排出制御装置（排出制御手段）
６００Ａ    リレー（接続監視手段）
６００Ｃ    打球発射装置
６０１    接続監視手段
【図１】
0003669903.tif 000002
【図２】
0003669903.tif 000003
【図３】
0003669903.tif 000004
【図４】
0003669903.tif 000005
【図５】
0003669903.tif 000006
【図６】
0003669903.tif 000007